Podtech/llm-jp-corpus-v4-ja_patent huggingface dataset:
【手続補正書】
【提出日】平成22年1月21日(2010.1.21)
【手続補正１】
【補正対象書類名】明細書
【補正対象項目名】０００７
【補正方法】変更
【補正の内容】
【０００７】
請求項２の発明を前提とする請求項３の発明において、前記固定部材は環状の上枠３である。
請求項１〜３の発明では、展開状態Ｐの容器本体１を買物かごとして利用することができるばかりでなく、買い物の往復時や実際の買い物時に容器本体１を折畳み状態Ｑにすれば、容器本体１が嵩張らず、容器本体１を容易に運搬したり保管したりすることができる。また、各折畳み側板８，９において、容器本体１の内外を仕切る機能を有する仕切壁１５は、両支持腕１４の各区画腕部１６，１７を関節部１８で互いに折曲させる際に、両支持腕１４の関節部１８間に設けた柔軟体１５で同時に折曲して各折畳み側板８，９を折り畳むことができる機能をも持たせることができる。
【手続補正書】
【提出日】平成22年1月13日(2010.1.13)
【手続補正１】
【補正対象書類名】特許請求の範囲
【補正対象項目名】全文
【補正方法】変更
【補正の内容】
【特許請求の範囲】
【請求項１】
図柄列を備える回転自在な回胴を含み図柄表示を行う図柄表示手段と、前記図柄表示手段の前記回胴を回転させて前記図柄表示を変動させる図柄表示変動手段と、前記図柄表示変動手段による前記回胴の回転を制御する変動制御手段とを含む遊技機であって、
遊技者による操作に応じて前記回胴の停止指示を入力する停止入力手段を更に含み、
前記図柄表示変動手段が、前記回胴を回転させるステッピングモータを含み、
前記変動制御手段が、
複数種類の回転励磁相を所定の回転励磁順序で循環的に選択して前記ステッピングモータを駆動するモータ回転手段と、
前記回胴の回転に伴い、前記回胴の変位角度を識別する変位角度情報を更新する変位角度更新手段と、
前記停止入力手段からの前記停止指示の入力に応じて、前記回胴の停止予定角度に対応する停止予定角度情報を決定する停止予定角度制御手段と、
前記停止入力手段からの前記停止指示の入力に応じて、前記変位角度情報及び前記停止予定角度情報を参照して、前記複数種類の回転励磁相を一括して励磁する全相励磁相を選択し、前記全相励磁相の選択の後に前記停止予定角度を磁気的に最も安定な変位角度とする特定励磁相を選択し、かつ前記特定励磁相の選択の後に前記全相励磁相を再度選択する停止励磁順序に従って前記ステッピングモータの駆動を停止させるモータ停止手段と、
を含むことを特徴とする遊技機。
【請求項２】
前記複数種類の回転励磁相が、複数種類の基本回転励磁相と前記複数種類の基本回転励磁相の相間において励磁される複数種類の準回転励磁相とを含み、
前記複数種類の基本回転励磁相に対応する磁気的に最も安定な複数種類の変位角度の各々が、無励磁保持トルクによる安定角度であり、
前記複数種類の準回転励磁相の各々が、前記複数種類の基本回転励磁相のうち先行の基本回転励磁相と後続の基本回転励磁相とを一括して励磁する励磁相であり、
前記モータ停止手段における前記特定励磁相が、前記複数種類の回転励磁相のいずれか１種類と同一である、
請求項１に記載の遊技機。
【請求項３】
前記モータ停止手段における前記特定励磁相が、前記複数種類の基本回転励磁相のいずれか１種類と同一である請求項２に記載の遊技機。
【請求項４】
前記停止角度制御手段が、前記停止予定角度として基本停止予定角度と前記補助停止予定角度とを選択し、前記停止予定角度情報として前記基本停止予定角度に対応する基本停止予定角度情報と前記補助停止予定角度に対応する補助停止予定角度情報とを決定し、
前記モータ停止手段が、前記基本停止予定角度情報及び前記補助停止予定角度情報に基づいて、前記特定励磁相として前記全相励磁相の選択の後に前記基本停止予定角度を磁気的に最も安定な変位角度とする基本励磁相及び前記補助停止予定角度を磁気的に最も安定な変位角度とする補助励磁相の一方を選択する、
請求項１に記載の遊技機。
【請求項５】
前記複数種類の回転励磁相が、複数種類の基本回転励磁相と前記複数種類の基本回転励磁相の相間において励磁される複数種類の準回転励磁相とを含み、
前記複数種類の基本回転励磁相に対応する磁気的に最も安定な複数種類の変位角度の各々が、無励磁保持トルクによる安定角度であり、
前記複数種類の準回転励磁相の各々が、前記複数種類の基本回転励磁相のうち先行の基本回転励磁相と後続の基本回転励磁相とを一括して励磁する励磁相であり、
前記基本励磁相が、前記複数種類の基本回転励磁相のいずれか１種類と同一であり、
前記補助励磁相が、前記複数種類の基本回転励磁相のうちの前記所定の回転励磁順序において前記基本励磁相に対応する基本回転励磁相に後続する基本回転励磁相と同一である、
請求項４に記載の遊技機。
【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
本体枠と、この本体枠の前面側に設けられて当該本体枠に対して開閉可能に支持される扉部材と、を備えた遊技機において、
前記扉部材の開放を検出する扉部材開放検出スイッチを備え、
前記扉部材開放検出スイッチは、前記扉部材を閉じた状態で前記本体枠または前記扉部材で押下されるスイッチ部を備え、前記スイッチ部が押下されることで前記扉部材の閉鎖を検出し、前記スイッチ部の押下が解除されることで前記扉部材の開放を検出するものであり、
前記扉部材開放検出スイッチをそのスイッチ部の押下方向視した状態で当該スイッチ部の押下方向周り箇所に侵入阻止手段
を備えていることを特徴とする遊技機。
【請求項２】
請求項１に記載の遊技機において、
前記扉部材は、その一辺側を開閉回動軸として前記本体枠に対して片開き自在となっており、前記一辺側に当たる側辺の所定箇所に前記扉部材開放検出スイッチを備え、
前記本体枠は、その内面の所定箇所が、前記扉部材が閉じた状態において前記扉部材開放検出スイッチの前記スイッチ部に当接することで当該スイッチ部を押下するようになっている
ことを特徴とする遊技機。
【請求項３】
請求項２に記載の遊技機において、
前記侵入阻止手段は、前記スイッチ部の方への侵入を阻む返し突起部を有する平板状の金属製部材を備えている
ことを特徴とする遊技機。
【請求項４】
請求項３に記載の遊技機において、
前記侵入阻止手段は、前記金属製部材の裏面側に平板状の弾性部材を備え、前記弾性部材の一方の面に前記金属製部材の裏面側が貼り付けられ、かつ、前記弾性部材の他方の面を前記扉部材の一辺側に当たる側辺で前記スイッチ部の押下方向周りの所定箇所に貼り付けられて構成されている
ことを特徴とする遊技機。
【請求項５】
請求項４に記載の遊技機において、
前記金属製部材は、その一部が、前記扉部材の一辺側に当たる側辺で前記扉部材開放検出スイッチと当該扉部材の前面側との間の箇所である第１箇所に位置するように設けられ、かつ、前記返し突起部のうちの少なくとも一つが前記第１箇所に位置するように設けられている
ことを特徴とする遊技機。
【請求項６】
請求項５に記載の遊技機において、
前記扉部材は、その裏面側で開閉自在な裏面側部材を当該開閉自在に軸支するための軸受部材を備え、
前記軸受部材は、前記裏面側部材に対して開閉自在に嵌合される一対の嵌合部と、この両嵌合部を繋ぐ板部とを備え、
さらに、前記軸受部材は、前記扉部材の一辺側に当たる側辺における前記スイッチ部の押下方向周り箇所のうちで前記扉部材開放検出スイッチと当該扉部材の裏面側との間の箇所である第２箇所に、前記板部が位置するように設けられており、
前記板部での前記扉部材の側辺側の所定箇所に平板状の弾性部材を備えている
ことを特徴とする遊技機。
【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
遊技媒体が転動する遊技領域を前面に有し、開口部が前後方向に設けられている遊技盤と、
該遊技盤よりも後方に配設され、前記開口部を通して遊技者側から視認可能な演出領域を含む所定移動範囲で移動可能に支持されている可動装飾部材と、
該可動装飾部材を駆動する駆動手段と、
該駆動手段の駆動状態を制御する駆動制御手段と、
前記可動装飾部材の移動方向と同じ方向に順に並んで略同一平面上に配設されており、いずれも前記可動装飾部材に対応する形状を呈し、装飾を補助する複数の発光装飾部と、
前記可動装飾部材の位置を検出する検出手段と、
該検出手段の検出結果に基づき前記可動装飾部材と前記発光装飾部との相対位置を認識し、前記可動装飾部材の位置に対応する前記発光装飾部を点灯させる発光制御手段と
を具備することを特徴とする遊技機。
【請求項２】
請求項１に記載した遊技機であって、
前記発光装飾部は、前記可動装飾部材の移動方向と同じ方向に略等間隔で配設されていることを特徴とする遊技機。
【請求項３】
請求項１または請求項２に記載した遊技機であって、
前記発光装飾部が点灯する時は漸次光量を増加させ、前記発光装飾部が消灯する時には漸次光量を減少させる漸次調光手段をさらに具備することを特徴とする遊技機。
【手続補正書】
【提出日】平成22年1月13日(2010.1.13)
【手続補正１】
【補正対象書類名】特許請求の範囲
【補正対象項目名】全文
【補正方法】変更
【補正の内容】
【特許請求の範囲】
【請求項１】
第１ケース及び第２ケースを有して内部に制御基板が設けられた基板ユニットであって、前記第１ケース側に設けられる第１封止部と、前記第２ケース側に設けられる第２封止部と、前記第１封止部と前記第２封止部とを連結する第１の封止部材とを有し、前記封止部材によって前記第１封止部と第２封止部とが連結されている場合に前記制御基板を取り出すときには基板ユニットを破壊するか或いは所定の部位を切断することを必要とする基板ユニットを備え、前記第１ケースに、前記制御基板に接続されるコネクタのための接続用窓部が設けられた遊技機において、
前記コネクタに接続されるハーネスを外部に導出する状態で前記第１ケースの前記接続用窓部を覆うように設けられる合成樹脂製の接続部カバーと、
前記接続部カバーを前記第１ケースに対して開閉自在に支持する支持部と、
前記接続部カバーに設けられた第３封止部と、
前記第３封止部に対応する第４封止部と、
前記接続部カバーが前記接続用窓部を覆う閉状態において、前記第３封止部と前記第４封止部とを連結する第２の封止部材と、を備え、
前記第２の封止部材によって前記第３封止部と前記第４封止部とが連結されている場合に前記接続部カバーを開くときには該接続部カバーを破壊するか或いは所定の部位を切断することを必要とするように構成され、
前記接続部カバーが、前記支持部から遠い側の側辺から支持部側に入り込む前記ハーネス取り出し用の少なくとも１つの凹部を有する前板部を含み、
前記接続部カバーに一体的に設けられ、前記凹部からの前記ハーネスの抜脱を規制するハーネスフックを備える、
ことを特徴とする遊技機。
【請求項２】
第１ケース及び第２ケースを有して内部に制御基板が設けられた基板ユニットであって、前記第１ケース側に設けられる第１封止部と、前記第２ケース側に設けられる第２封止部と、前記第１封止部と前記第２封止部とを連結する第１の封止部材とを有し、前記封止部材によって前記第１封止部と第２封止部とが連結されている場合に前記制御基板を取り出すときには基板ユニットを破壊するか或いは所定の部位を切断することを必要とする基板ユニットを備え、前記第１ケースに、前記制御基板に接続されるコネクタのための接続用窓部が設けられた遊技機において、
前記コネクタに接続されるハーネスを外部に導出する状態で前記第１ケースの前記接続用窓部を覆うように設けられる合成樹脂製の接続部カバーと、
前記接続部カバーを前記第１ケースに対して開閉自在に支持する支持部と、
前記接続部カバーに設けられた第３封止部と、
前記第３封止部に対応する第４封止部と、
前記接続部カバーが前記接続用窓部を覆う閉状態において、前記第３封止部と前記第４封止部とを連結する第２の封止部材と、を備え、
前記第２の封止部材によって前記第３封止部と前記第４封止部とが連結されている場合に前記接続部カバーを開くときには該接続部カバーを破壊するか或いは所定の部位を切断することを必要とするように構成され、
前記接続部カバーが、該接続部カバーを閉じる際の移動方向側の端から該接続部カバーを開く際の移動方向側に向けて切り欠かれた前記ハーネスの挿通される凹部を有し、
前記接続部カバーに一体的に設けられ、前記凹部からの前記ハーネスの抜脱を規制するハーネスフックを備える、
ことを特徴とする遊技機。
【請求項３】
前記接続部カバーが、前記支持部で支持され、前記コネクタの前記ハーネスとの接続側を覆う上板部と、前記上板部から前記コネクタと前記ハーネスとの接続方向側に延設され、前記凹部を有する前板部とを含み、
前記凹部が、前記前板部の前記コネクタ側の端から前記上板部側に向かう切り欠きであり、
前記ハーネスフックが、前記凹部の入り口部に近接して配置されている、
請求項２に記載の遊技機。
【請求項４】
前記ハーネスフックが、前記凹部の入り口部の一側部において前記前板部に垂設された基端部と、前記基端部から前記凹部の入り口部の他側部に向けて延設され、前記他側部に対して所定の間隔で遊離した遊端部とを含む請求項３に記載の遊技機。
【手続補正書】
【提出日】平成22年1月13日(2010.1.13)
【手続補正１】
【補正対象書類名】特許請求の範囲
【補正対象項目名】全文
【補正方法】変更
【補正の内容】
【特許請求の範囲】
【請求項１】
所定の装飾を有する装飾部と、
前記装飾部の前方に設けられ、前面に遊技領域を形成すると共に、光透過性素材により形成された遊技盤と、
前記遊技盤から前記装飾部に連通する貫通部と、
前記遊技盤の裏面側に設けられると共に、その一部が前記貫通部に挿通されて前記遊技領域を流下する遊技球と接触可能とされる盤面部品とを備える遊技機において、
前記盤面部品が、前記貫通部より大きく形成されると共に前記装飾部の裏面側に配置される基端部分と、前記基端部分から前記貫通部を介して前記遊技盤の前面側に突出する突出部とを含み、
前記基端部分が、前記突出部と前記装飾部の貫通孔との間隙を覆い、前記装飾部の態様に関連した装飾を有する被覆部を含む、
ことを特徴とする遊技機。
【請求項２】
前記装飾部と前記被覆部とが、前記装飾部及び前記基端部分の重複部分の近傍において同一の色相又は類似の色相の配色である請求項１に記載の遊技機。
【請求項３】
前記装飾部と前記被覆部とが、前記装飾部及び前記基端部分の重複部分の近傍において同一の模様又は類似の模様である請求項１又は２に記載の遊技機。
【請求項４】
前記盤面部品が、前記基端部分における前記被覆部より外縁側において前記遊技盤及び前記装飾部の少なくとも一方に固定されている請求項１、２又は３に記載の遊技機。
【請求項５】
前記装飾部の裏面側において前記遊技盤及び前記装飾部の少なくとも一方に固定され、前記遊技盤側からの視認が前記突出部、前記被覆部及び前記装飾部の一部により遮蔽された枠部材を備え、
前記盤面部品が、前記基端部分における前記被覆部より外縁側において前記枠部材に固定されている請求項１、２又は３に記載の遊技機。
【手続補正書】
【提出日】平成22年1月29日(2010.1.29)
【手続補正１】
【補正対象書類名】特許請求の範囲
【補正対象項目名】全文
【補正方法】変更
【補正の内容】
【特許請求の範囲】
【請求項１】
周方向に周回するとともに、該周方向に複数種の絵柄が付された複数の周回体と、
前記各周回体の周回を開始させるべく操作される開始操作手段と、
前記開始操作手段の操作に基づいて役の抽選を行う抽選手段と、
前記各周回体の周回を個別に停止させるべく操作される複数の停止操作手段と、
前記開始操作手段の操作に基づいて前記各周回体の周回を開始させるとともに、前記停止操作手段の操作に基づいて対応する周回体の周回を停止させるよう前記各周回体を駆動制御する駆動制御手段と、
前記各周回体が周回を停止し、前記役の抽選に当選した当選役と対応する当選絵柄が有効位置に停止した場合、遊技者に特典を付与する特典付与手段と
を備えた遊技機において、
役の抽選結果を示唆する補助演出を行うことが可能な補助演出手段と、
前記開始操作手段と前記各停止操作手段とのうち少なくとも１つの特定操作手段について、予め定めた特定回数を記憶する特定回数記憶手段と、
前記各周回体の周回を開始させるべく又は対応する周回体の周回を停止させるべく前記特定操作手段を操作されてから当該特定操作手段に前記特定回数の操作がなされたことに基づいて、特定操作がなされたと判定する特定操作判定手段と、
前記特定操作判定手段が前記特定操作をなされたと判定した場合、前記補助演出手段に前記補助演出を行わせると決定する実行決定手段と
を備えたことを特徴とする遊技機。
【請求項２】
前記特定操作手段として前記開始操作手段と前記各停止操作手段とのうち複数の操作手段を定めるとともに、前記特定回数記憶手段は、前記特定回数を前記操作手段毎に記憶することを特徴とする請求項１に記載の遊技機。
【請求項３】
前記特定回数の操作がなされたか否かを判定すべき操作手段を決定する判定対象決定手段を備えたことを特徴とする請求項２に記載の遊技機。
【請求項４】
前記判定対象決定手段は、前記各周回体の周回状況に基づいて、前記特定回数の操作がなされたか否かを判定すべき操作手段を決定することを特徴とする請求項３に記載の遊技機。
【請求項５】
前記判定対象決定手段は、前記特定回数の操作がなされたか否かを判定すべき操作手段として複数の操作手段を決定し、前記特定操作判定手段は、前記判定対象決定手段の決定した各操作手段に、それぞれ対応する特定回数の操作がなされた場合、前記特定操作がなされたと判定することを特徴とする請求項３又は請求項４に記載の遊技機。
【請求項６】
前記特定操作手段は、少なくとも前記開始操作手段を含むことを特徴とする請求項１乃至請求項５のいずれかに記載の遊技機。
【請求項７】
前記各周回体の周回を開始させるべく又は対応する周回体の周回を停止させるべく前記特定操作手段を操作されてから当該特定操作手段になされた操作回数を、１遊技回において少なくとも前記特定操作判定手段が前記特定操作をなされたと判定するまで累積記憶する構成としたことを特徴とする請求項１乃至請求項６のいずれかに記載の遊技機。
【請求項８】
前記役の抽選結果に基づいて前記補助演出手段に前記補助演出を行わせるか否かを決定する第２実行決定手段と、前記第２実行決定手段の決定結果が前記補助演出を行わせない結果であっても、前記特定操作判定手段が前記特定操作をなされたと判定したことに基づいて前記補助演出手段に前記補助演出を行わせる補助演出実行手段と、を備えたことを特徴とする請求項１乃至請求項７のいずれかに記載の遊技機。
【手続補正書】
【提出日】平成22年1月29日(2010.1.29)
【手続補正１】
【補正対象書類名】特許請求の範囲
【補正対象項目名】全文
【補正方法】変更
【補正の内容】
【特許請求の範囲】
【請求項１】
周方向に周回するとともに、該周方向に複数種の絵柄が付された複数の周回体と、
前記各周回体の周回を開始させるべく操作される開始操作手段と、
前記開始操作手段の操作に基づいて役の抽選を行う抽選手段と、
前記各周回体の周回を個別に停止させるべく操作される複数の停止操作手段と、
前記開始操作手段の操作に基づいて前記各周回体の周回を開始させるとともに、前記停止操作手段の操作に基づいて対応する周回体の周回を停止させるよう前記各周回体を駆動制御する駆動制御手段と、
前記各周回体が周回を停止し、前記役の抽選に当選した当選役と対応する当選絵柄が有効位置に停止した場合、遊技者に特典を付与する特典付与手段と
を備えた遊技機において、
役の抽選結果を示唆する補助演出を行うことが可能な補助演出手段と、
前記開始操作手段と前記各停止操作手段とのうち周回体の周回又は停止に関わる操作をなされた操作手段が所定の操作順序で再度操作された場合、特定操作がなされたと判定する特定操作判定手段と、
前記特定操作判定手段が前記特定操作をなされたと判定した場合、前記補助演出手段に前記補助演出を行わせると決定する実行決定手段と
を備えたことを特徴とする遊技機。
【請求項２】
前記特定操作判定手段は、前記各周回体の全てが停止している場合、前記各周回体を停止させるべく操作された各停止操作手段の操作順序でこれら各停止操作手段を再度操作された場合に、前記特定操作がなされたと判定することを特徴とする請求項１に記載の遊技機。
【請求項３】
周方向に周回するとともに、該周方向に複数種の絵柄が付された複数の周回体と、
前記各周回体の周回を開始させるべく操作される開始操作手段と、
前記開始操作手段の操作に基づいて役の抽選を行う抽選手段と、
前記各周回体の周回を個別に停止させるべく操作される複数の停止操作手段と、
前記開始操作手段の操作に基づいて前記各周回体の周回を開始させるとともに、前記停止操作手段の操作に基づいて対応する周回体の周回を停止させるよう前記各周回体を駆動制御する駆動制御手段と、
前記各周回体が周回を停止し、前記役の抽選に当選した当選役と対応する当選絵柄が有効位置に停止した場合、遊技者に特典を付与する特典付与手段と
を備えた遊技機において、
役の抽選結果を示唆する補助演出を行うことが可能な補助演出手段と、
前記開始操作手段と前記各停止操作手段とのうち特定操作手段について、前記各周回体の周回を開始させるべく又は対応する周回体の周回を停止させるべく前記特定操作手段を操作された後における前記特定操作手段の操作順序を記憶する操作順序記憶手段と、
前記各周回体の周回を開始させるべく又は対応する周回体の周回を停止させるべく前記特定操作手段を操作されてから、前記操作順序記憶手段に記憶された操作順序で前記特定操作手段を操作されたことに基づいて、特定操作がなされたと判定する特定操作判定手段と、
前記特定操作判定手段が前記特定操作をなされたと判定した場合、前記補助演出手段に前記補助演出を行わせると決定する実行決定手段と
を備えたことを特徴とする遊技機。
【請求項４】
前記操作順序記憶手段に前記操作順序を複数記憶させるとともに、これら操作順序から１の操作順序を選択する操作順序選択手段を備え、前記特定操作判定手段は、前記操作順序選択手段の選択した操作順序で前記特定操作手段を操作された場合、前記特定操作がなされたと判定することを特徴とする請求項３に記載の遊技機。
【請求項５】
前記操作順序選択手段は、前記各周回体の周回状況に基づいて前記操作順序を選択することを特徴とする請求項４に記載の遊技機。
【請求項６】
前記操作順序選択手段は、前記各周回体の全てが停止している場合、前記各周回体を停止させるべく操作された各停止操作手段の操作順序を前記操作順序として選択することを特徴とする請求項４又は請求項５に記載の遊技機。
【請求項７】
前記役の抽選結果に基づいて前記補助演出手段に前記補助演出を行わせるか否かを決定する第２実行決定手段と、前記第２実行決定手段の決定結果が前記補助演出を行わせない結果であっても、前記特定操作判定手段が前記特定操作をなされたと判定したことに基づいて前記補助演出手段に前記補助演出を行わせる補助演出実行手段と、を備えたことを特徴とする請求項１乃至請求項６のいずれかに記載の遊技機。
【手続補正書】
【提出日】平成22年1月26日(2010.1.26)
【手続補正１】
【補正対象書類名】特許請求の範囲
【補正対象項目名】全文
【補正方法】変更
【補正の内容】
【特許請求の範囲】
【請求項１】
周方向に周回すると共に、該周方向に複数種の絵柄が付された複数の周回体と、
前記各周回体の周回を開始させるべく操作される始動操作手段と、
前記始動操作手段の操作に基づいて役の抽選を行う抽選手段と、
前記各周回体の周回を個別に停止させるべく操作される複数の停止操作手段と、
前記始動操作手段の操作に基づいて前記各周回体の周回を開始させるとともに、前記停止操作手段の操作に基づいて対応する周回体の周回を停止させるよう前記各周回体を駆動制御する駆動制御手段と、
前記各周回体が周回を停止し、前記役の抽選に当選した当選役と対応する当選絵柄が有効位置に停止した場合、遊技者に特典を付与する特典付与手段と
を備えた遊技機において、
役の抽選結果を示唆する補助演出を行うことが可能な補助演出手段と、
前記各停止操作手段のうち周回を停止している周回体と対応する停止操作手段に特定操作がなされたか否かを判定する特定操作判定手段と、
前記特定操作判定手段が前記特定操作をなされたと判定した場合、前記補助演出手段に前記補助演出を行わせると決定する実行決定手段と
を備えたことを特徴とする遊技機。
【請求項２】
前記特定操作判定手段は、周回を停止している周回体と対応する停止操作手段のうち最後に周回体を停止させるべく操作された停止操作手段に前記特定操作がなされたか否かを判定することを特徴とする請求項１に記載の遊技機。
【請求項３】
前記役の抽選結果に基づいて前記補助演出手段に前記補助演出を行わせるか否かを決定する第２実行決定手段と、前記第２実行決定手段が前記補助演出を行わせると決定したことに基づいて前記役の抽選結果を示唆する示唆タイミングを決定する示唆タイミング決定手段と、前記示唆タイミング決定手段の決定した示唆タイミングより前に前記特定操作判定手段が前記特定操作をなされたと判定した場合、前記特定操作のなされたタイミングに基づいて前記役の抽選結果を示唆するよう示唆タイミングを変更する示唆タイミング変更手段とを備えたことを特徴とする請求項１又は２に記載の遊技機。
【請求項４】
前記役の抽選結果に基づいて、前記各周回体が停止する毎に進行するとともに所定のタイミングで前記役の抽選結果を示唆する第２補助演出を前記補助演出手段に行わせると決定する第２補助演出決定手段と、前記特定操作判定手段が前記停止操作手段に前記特定操作をなされたと判定した場合、次に周回体が停止するよりも前に前記第２補助演出を進行させる第２補助演出進行手段とを備えたことを特徴とする請求項１乃至３のいずれか１に記載の遊技機。
【請求項５】
前記役の抽選結果に基づいて前記補助演出手段に前記補助演出を行わせるか否かを決定する第２実行決定手段と、前記第２実行決定手段の決定結果が前記補助演出を行わせない結果であっても、前記特定操作判定手段が前記特定操作をなされたと判定したことに基づいて前記補助演出手段に前記補助演出を行わせる補助演出実行手段と、を備えたことを特徴とする請求項１乃至４のいずれか１に記載の遊技機。
【請求項６】
周方向に周回すると共に、該周方向に複数種の絵柄が付された複数の周回体と、
前記各周回体の周回を開始させるべく操作される始動操作手段と、
前記始動操作手段の操作に基づいて役の抽選を行う抽選手段と、
前記各周回体の周回を個別に停止させるべく操作される複数の停止操作手段と、
前記始動操作手段の操作に基づいて前記各周回体の周回を開始させるとともに、前記停止操作手段の操作に基づいて対応する周回体の周回を停止させるよう前記各周回体を駆動制御する駆動制御手段と、
前記各周回体が周回を停止し、前記役の抽選に当選した当選役と対応する当選絵柄が有効位置に停止した場合、遊技者に特典を付与する特典付与手段と
を備えた遊技機において、
役の抽選結果を示唆する補助演出を行うことが可能な補助演出手段と、
前記各周回体の周回を開始させるべく前記始動操作手段が操作されてから前記始動操作手段に規定操作がなされたか否かを判定する規定操作判定手段と、
前記規定操作判定手段が前記規定操作をなされたと判定した場合、前記補助演出手段に前記補助演出を行わせると決定する決定手段と
を備えたことを特徴とする遊技機。
【手続補正書】
【提出日】平成22年1月28日(2010.1.28)
【手続補正１】
【補正対象書類名】明細書
【補正対象項目名】００１６
【補正方法】変更
【補正の内容】
【００１６】
前記特殊観察用光源９は、例えば、図示しない３つのレーザ光源を組み合わせたもので、ピーク波長４９０±５ｎｍの第１の励起光を出射する第１の半導体レーザ（または４８８±５ｎｍの励起光を出射するアルゴンレーザ）と、ピーク波長７５０ｎｍ±５の第２の励起光を出射する第２の半導体レーザ、ピーク波長４２０±５ｎｍの照明光を出射する第３の半導体レーザを組み合わせたものである。
【手続補正２】
【補正対象書類名】明細書
【補正対象項目名】００３４
【補正方法】変更
【補正の内容】
【００３４】
撮像素子制御回路１５および可変分光素子制御回路１６は、前記光源制御回路１０に接続され、光源制御回路１０による白色観察用光源８および特殊観察用光源９の切り替えに同期して可変分光素子１３および撮像素子１４を駆動制御するようになっている。
具体的には、図６のタイミングチャートに示されるように、光源制御回路１０の作動により、特殊観察用光源９から第１および第２の励起光または第３の半導体レーザからの照明光が発せられるときには、可変分光素子制御回路１６が、可変分光素子１３の状態を第１の状態または第２の状態に切り替える。また、これとともに、スイッチ１７Ｃが第１の記憶部１７Ａ側に切り替えられて、撮像素子制御回路１５が撮像素子１４から出力される画像情報を第１の記憶部１７Ａに出力するようになっている。
【手続補正３】
【補正対象書類名】明細書
【補正対象項目名】００５０
【補正方法】変更
【補正の内容】
【００５０】
ここで、上述した本実施形態に係る内視鏡システム１の作用を、図８を参照して、さらに概念的にわかりやすく説明する。
図８（ａ）は、起伏を有する生体組織への励起光照射の模式図を示す。領域Ａ１は挿入部２の先端面２ａに対向するように傾斜する斜面、領域Ａ２は励起光の光軸に略平行な平坦面である。したがって、図８（ｂ）に示されるように、領域Ａ１に照射される励起光の強度分布は高く、領域Ａ２に照射される励起光の強度分布は低くなっている。
【手続補正４】
【補正対象書類名】明細書
【補正対象項目名】００５１
【補正方法】変更
【補正の内容】
【００５１】
また、図８（ｃ）に示されるように、領域Ａ３は領域Ａ１における色素濃度の高い領域、領域Ａ４は領域Ａ２における色素濃度の高い領域である。
したがって、図８（ｄ）に示されるように、第１の蛍光色素から蛍光強度分布は、励起光強度分布と第１の色素の濃度分布が組み合わされたパターンを有し、領域Ａ１においては全体的に高く、領域Ａ３において特に高く、領域Ａ２においては低く、領域Ａ４においては領域Ａ２よりも若干高くなっている。このため、領域Ａ１については異常組織であるとの判定を行いやすいが、領域Ａ２については異常組織か否かの判定が困難である。
【手続補正５】
【補正対象書類名】明細書
【補正対象項目名】００５６
【補正方法】変更
【補正の内容】
【００５６】
そして、図１１によれば、蛍光画像情報Ｇ１は、蛍光画像情報Ｇａが蛍光画像情報Ｇｂにより正規化されているので、癌組織全体を正常組織に対して強い輝度を有する領域として明示することができる。
【手続補正６】
【補正対象書類名】図面
【補正対象項目名】図８
【補正方法】変更
【補正の内容】
【図８】
2008183348.tif 000001
【手続補正書】
【提出日】平成22年1月28日(2010.1.28)
【手続補正１】
【補正対象書類名】特許請求の範囲
【補正対象項目名】請求項１
【補正方法】変更
【補正の内容】
【請求項１】
間隔を空けて対向する第１および第２の光学基板の互いに対向する対向面に設けられた光学コート層と、
前記第１および第２の光学基板の間隔を変化させるアクチュエータと、
前記第１および第２の光学基板の間隔を検出するためのものであって、前記第１の光学基板に設けられた第１のセンサ部と、
前記第１および第２の光学基板の間隔を検出するためのものであって、前記第２の光学基板に、前記第１のセンサ部に対向するように設けられた第２のセンサ部とを有し、
前記第１および第２のセンサ部の個数が異なる可変分光素子。
【手続補正２】
【補正対象書類名】特許請求の範囲
【補正対象項目名】請求項７
【補正方法】変更
【補正の内容】
【請求項７】
前記第１の光学基板が固定され、前記第２の光学基板が前記アクチュエータにより変位させられる請求項２に記載の可変分光素子。
【手続補正３】
【補正対象書類名】特許請求の範囲
【補正対象項目名】請求項１３
【補正方法】変更
【補正の内容】
【請求項１３】
体腔内に挿入される挿入部に、前記可変分光素子が備えられ、前記第２の光学基板が前記第１の光学基板よりも前記挿入部の先端側に配置されている請求項１２に記載の内視鏡システム。
【手続補正４】
【補正対象書類名】明細書
【補正対象項目名】００１９
【補正方法】変更
【補正の内容】
【００１９】
光学基板４ａ，４ｂの対向面にはセンサ電極６ａ，６ｂが対向して配置されているので、センサ電極６ａ，６ｂ間に形成された静電容量を示す電圧信号が検出され、該電圧信号に応じてセンサ電極６ａ，６ｂ間の間隔寸法を検出することができる。光学基板４ａの周方向にセンサ電極６ａが４個設けられ、光学基板４ｂにこれらセンサ電極６ａの全てに対向する１個のセンサ電極６ｂが設けられているので、各対のセンサ電極６ａ，６ｂ毎に、対応する位置の光学基板４ａ，４ｂの間隔寸法を検出でき、検出された間隔寸法に基づいてアクチュエータ４ｃを制御することにより、２枚の光学基板４ａ，４ｂを平行状態に維持しながら、精度よく間隔寸法を調節することができる。
【手続補正５】
【補正対象書類名】明細書
【補正対象項目名】００２７
【補正方法】変更
【補正の内容】
【００２７】
なお、本実施形態に係る可変分光素子１においては、一方の光学基板４ａの周方向に沿って等間隔に４つのセンサ電極６ａを設け、これら全てのセンサ電極６ａに対向する１つのセンサ電極６ｂを、他方の光学基板４ｂに設けることとしたが、センサ電極６ａ，６ｂは任意の個数を設けることができる。
すなわち、図３に示されるように、一方の光学基板４ａに周方向に間隔をあけて設けられた２つのセンサ電極６ａ毎に、これら２つのセンサ電極６ａのいずれにも対向する大きさの１つのセンサ電極６ｂを他方の光学基板４ｂに設けることにしてもよい。
【手続補正書】
【提出日】平成22年1月28日(2010.1.28)
【手続補正１】
【補正対象書類名】明細書
【補正対象項目名】００３９
【補正方法】変更
【補正の内容】
【００３９】
本実施形態に係る蛍光観察方法においては、取得された反射光画像Ｇ１から血管画像Ｇ２を抽出し、自家蛍光画像Ｇ３から血管画像Ｇ２を減算し、得られた自家蛍光画像Ｇ３の血管画像Ｇ２に対応する領域を補間処理して参照画像Ｇ４を生成し、薬剤蛍光画像Ｇ５を参照画像Ｇ４で除算することにより補正する。
波長帯域３７０〜４５０ｎｍの光は血管Ｔにより吸収されるので、そのときの反射光画像Ｇ１情報としては、太い血管Ｔの領域において輝度値の低い画像が得られる。したがって、このような反射光画像Ｇ１情報を用いて太い血管Ｔに対応する領域を容易に抽出することができ、自家蛍光画像Ｇ３における太い血管Ｔに対応する画像情報を容易に除去することができる。
【手続補正２】
【補正対象書類名】明細書
【補正対象項目名】００４３
【補正方法】変更
【補正の内容】
【００４３】
また、本実施形態においては、血管Ｔに吸収される波長帯域として３７０〜４５０ｎｍの波長帯域の光を照射することとしたが、これに加えて、図１０および図１１に示されるように、波長帯域５００〜６００ｎｍの光を照射するためのフィルタＤを備えてもよい。この波長帯域５００〜６００ｎｍの光は、生体組織のより深い位置に存在している血管Ｔにより吸収され、蛍光を発生するので、例えば、図１２に示されるような太い血管Ｔがより深い位置に存在している場合に血管画像Ｇ２′が含まれ、図１３に示されるような自家蛍光画像Ｇ６が取得されることとなる。
【手続補正書】
【提出日】平成22年1月28日(2010.1.28)
【手続補正１】
【補正対象書類名】特許請求の範囲
【補正対象項目名】請求項１
【補正方法】変更
【補正の内容】
【請求項１】
吹き口と発音口とから構成される笛部と、前記発音口を手などの人力を用いて覆ったり開放したりして音程を変化させるための音程調節部と、から成ることを特徴とする笛玩具。
【手続補正２】
【補正対象書類名】明細書
【補正対象項目名】０００５
【補正方法】変更
【補正の内容】
【０００５】  上記課題は、吹き口と発音口とから構成される笛部と、前記発音口を手などの人力を用いて覆ったり開放したりして音程を変化させるための音程調節部と、から成ることを特徴とする笛玩具とすることにより達成される。笛部に於いては発音口を吹くと吹き口から発音される。この際に手などの人力を用いて音程調節部を操作することにより、音程調節部が前記発音口を覆ったり開放したりするために、発音口から発っせられる音程が変化する。音程調節部は人力で操作されるものであるため、これを速く操ったり遅く操ったりすることを恰も楽器を演奏するかのように自在に行い得る点に特徴を有する。しかもこの操作によって音程調節部が人力操作に合わせて動作する状態を目に見ることが出来るのである。なお前記笛部には吹き口に弁を有するもの、吹き口と発音口との間に排気口を有するものやこの中に笛玉を備えているもの、牛の声などを模した音を出す鳴き笛、或いはブザー音や電子音を発生するもの、人が話す声や叫ぶ声や犬の声などを発声する電子回路とスピーカとから成るものなどが任意に使用可能である。また人力で音程調節部を操作する仕組としては、例えば親指と他の四指とで挟んだり開いたりさせる構成のものや、ボタンを押したり放したりする構成のものや、レバーを押したり引いたりする構成のものなど任意である。後述するように人の口で操作し得るものとして構成することも可能である。
【手続補正３】
【補正対象書類名】明細書
【補正対象項目名】００１２
【補正方法】変更
【補正の内容】
【００１２】笛部が、手などの人力を用いて覆ったり開放したりして音程を変化させるための音程調節部を備えることによって、操作者が音程調節部の動きを自由に操作することが出来ると共にその動きに伴って笛部の発音口から発っせられる音程が変えられるような、全く新しい笛玩具を提供することが出来た。
【手続補正４】
【補正対象書類名】明細書
【補正対象項目名】００２２
【補正方法】変更
【補正の内容】
【００２２】  上述した実施形態ではアヒルの嘴を模した例を上げたが、具象体に限らずどのような形態のものであってもこの発明の笛玩具を構成することが出来る。また笛を吹いた時の風力（人力である）を利用して風車を回転させ、この動力で自動的に発音口を覆ったり開放したりするように構成することも出来る。
【手続補正書】
【提出日】平成22年1月21日(2010.1.21)
【手続補正１】
【補正対象書類名】特許請求の範囲
【補正対象項目名】全文
【補正方法】変更
【補正の内容】
【特許請求の範囲】
【請求項１】
外型（４）と目的とする鋳物の複製である蝋型（２）との間にゲルキャスティング組成物（６）を配置する段階であって、蝋型（２）が目的とする鋳物の複製であり、ゲルキャスティング組成物が金属又はセラミック粒子とモノマーと溶媒とを含んでいて、モノマーが、アクリル酸、メタクリルアミド、メタクリル酸、ヒドロキシメチルアクリルアミド、ｎ−メチロールアクリルアミド、Ｎ，Ｎ′−メチレンビスアクリルアミド、メトキシ（ポリエチレングリコール）モノメタクリレート、ｎ−ビニルピロリドン、アクリルアミド、アルキルアクリルアミド、アルキルメタクリルアミド、アルキルアクリレート、アルキルメタクリレート、ジメチルアミノエチルメタクリレート、ジメチルアミノプロピルメタクリルアミド、ヒドロキシアルキルアクリルアミド、ヒドロキシアルキルメタクリルアミド、ヒドロキシアルキルアクリレート、ヒドロキシアルキルメタクリレート、メタクリラトエチルトリメチルアンモニウムクロリド、メタクリルアミドプロピルトリメチルアンモニウムクロリド、ｐ−スチレンスルホン酸、ｐ−スチレンスルホン酸塩又はこれらのモノマーを１種以上含む組合せからなる、段階と、
ゲルキャスティング組成物（６）中の上記モノマーを重合してゲルマトリックスを形成する段階と、
蝋型（２）を取り除く段階と、
ゲルマトリックスから溶媒を抜き出して、乾燥ゲルを形成する段階と、
乾燥ゲルを焼成してゲルキャスト鋳型を形成する段階と
ことを含んでなる方法。
【請求項２】
蝋型（２）がタービン部品の複製である、請求項１記載の方法。
【請求項３】
タービン部品が静翼又は動翼である、請求項２記載の方法。
【請求項４】
前記モノマーの重合が１〜１００℃の重合温度で実施される、請求項１乃至請求項３のいずれか１項記載の方法。
【請求項５】
前記ゲルキャスティング組成物がさらに熱可塑性ポリマーを含む、請求項１乃至請求項４のいずれか１項記載の方法。
【請求項６】
蝋型（２）を融解させることによって蝋型（２）を取り除く、請求項１乃至請求項５のいずれか１項記載の方法。
【請求項７】
溶解、研磨及び／又はエッチングによって蝋型（２）を取り除く、請求項１乃至請求項５のいずれか１項記載の方法。
【請求項８】
さらに、外型（４）からゲルマトリックスを取り出すことを含む、請求項１乃至請求項７のいずれか１項記載の方法。
【請求項９】
さらに、ゲルキャスト鋳型を使用して鋳物を形成することを含む、請求項１乃至請求項８のいずれか１項記載の方法。
【請求項１０】
請求項９記載の方法で製造されたタービン部品。
【手続補正書】
【提出日】平成22年1月4日(2010.1.4)
【手続補正１】
【補正対象書類名】明細書
【補正対象項目名】００５８
【補正方法】変更
【補正の内容】
【００５８】
（実施例２）
試料の作製（酸処理、熱処理、担持処理、焼成）
実施例１と同じ手順で、酸処理済ＭＣＮＴを得た。次に酸処理済ＭＣＮＴを、円筒型電気炉内に設置したガラス製のパイプ内に入れ、パイプ内をＡｒガス（流量１８０ｃｃ／ｍｉｎ）で１時間かけて空気を排気して、パイプ内を不活性雰囲気とした。Ａｒガスを流しながら、炉内の温度を２時間３０分かけて９００℃まで昇温させ、さらに１時間保持し、不活性雰囲気中で酸処理済ＭＣＮＴに対して熱処理を施した。なお炉内の温度は、コントローラ（ＳＨＩＭＡＤＥＮ製）で制御した。実施例１と同じ手順で、熱処理済ＭＣＮＴに対して担持処理を施し、白金担持ＭＣＮＴを得た。また、還元雰囲気中で焼成し、焼成済白金ＭＣＮＴを得た。
【手続補正書】
【提出日】平成22年1月6日(2010.1.6)
【手続補正１】
【補正対象書類名】明細書
【補正対象項目名】００１１
【補正方法】変更
【補正の内容】
【００１１】
脱ぷ部Ａは、傾斜して配置した一対の脱ぷロール２，３と、該一対の脱ぷロール２，３のロール間隙部Kへ籾米を案内する傾斜した案内シュート４と、該案内シュート４の傾斜角度を調節する角度調節装置５と、原料供給口６から供給された籾米を、振動させながら層厚を均一にして前記案内シュート４上端まで移送させる振動供給樋７とにより主要部が構成される。符号８は前記一対の脱ぷロール３，４により脱ぷされた摺米を流下させるための摺米流下樋であり、前記案内シュート４からロール間隙部Kを通過した延長線と、前記摺米流下樋８との交わる位置には、前記一対の脱ぷロール３，４の幅方向に亘って、摺米の衝撃を緩和させる緩衝用受樋９が設けられている。また、摺米流下樋８の下端部１０には、均分樋１１、均分スクリュー１２及び規制板１３，１４等からなる均分装置１５が設けられており、前記摺米流下樋８からの摺米を、当該均分装置１５によって前記風選部Ｂの全幅へ均一に分散させて風選能力を向上させることができる。
【手続補正２】
【補正対象書類名】明細書
【補正対象項目名】００１２
【補正方法】変更
【補正の内容】
【００１２】
次に、風選部Ｂは、風選ケース１６内に棚板１７乃至２０を斜設して風選路２１乃至２９を形成するとともに、風選路２１の上方には、摺米供給口３０を開口し、前記風選ケース１６の傾斜上方側は、湾曲状に形成された籾殻風路３１を接続し、該籾殻風路３１の下方終端側には、籾殻搬送スクリュー３２を横設するための籾殻受樋３３を接続した構成である。符号３４は前記籾殻風路３１の終端部に対向して配置した送風機であり、該送風機３４の吸引口３５を籾殻風路３１終端側の風選経路２９付近に開口するとともに、送風機３４の送風口３６を送風ダクト３７に接続している。これにより、循環選別風路が形成される。符号３８は混合米搬送スクリューであり、符号３９は未熟米搬送スクリューであり、符号４０は未熟粒調節弁であり、符号４１は風選部機枠である。
【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
一方の面上のほぼ全面に上部電極が形成され他方の面上のほぼ全面に下部電極が形成された略長方形の板状の圧電体と、前記圧電体の前記下部電極形成面に機械的に一体になるように密着させた板状の弾性体と、前記圧電体と前記弾性体を密着させて形成された駆動部材の長さ方向の一端近傍を片持ち梁状に支持する支持体と、を有するマイクロカンチレバーにおいて、
前記駆動部材の前記支持体に支持された根元部分の近傍に、前記駆動部材の他の部分の厚みよりも薄い薄肉部を有し、前記薄肉部は、前記上部電極の一部がスリット状または切り欠き状になっている部分である
ことを特徴とするマイクロカンチレバー。
【請求項２】
前記薄肉部において前記弾性体の厚みが薄くなっていることを特徴とする請求項１に記載のマイクロカンチレバー。
【手続補正２】
【補正対象書類名】明細書
【補正対象項目名】０００９
【補正方法】変更
【補正の内容】
【０００９】
発明者らは、マイクロカンチレバーを構成する板状の圧電体が、厚み方向に垂直な長さ方向の変位を起こし、この長さ方向の変位を弾性体の存在によって厚み方向の屈曲に変えることができるが、屈曲と同時にこの弾性体が屈曲に対する反力を持つようになるので、この屈曲に対する反力を低減するような構造にすることによりマイクロカンチレバーの変位量を大きくすることができることを見出した。そこで本発明では、一方の面上のほぼ全面に上部電極が形成され他方の面上のほぼ全面に下部電極が形成された板状の圧電体と、前記圧電体の前記下部電極形成面に機械的に一体になるように密着させた板状の弾性体と、前記圧電体と前記弾性体を密着させて形成された駆動部材の長さ方向の一端近傍を片持ち梁状に支持する支持体と、を有するマイクロカンチレバーにおいて、前記駆動部材の前記支持体に支持された根元部分の近傍に、前記駆動部材の他の部分の厚みよりも薄い薄肉部を有し、前記薄肉部は、前記上部電極の一部がスリット状または切り欠き状になっている部分であることを特徴とするマイクロカンチレバーを提案する。
【手続補正３】
【補正対象書類名】明細書
【補正対象項目名】００１０
【補正方法】変更
【補正の内容】
【００１０】
本発明によれば、支持体に支持された根元部分に上部電極の一部がスリット状または切り欠き状になっている薄肉部を設けることにより、この部分の屈曲に対する反力を低下させることができる。また、屈曲に対する反力を低下させることにより、根元部分の変位がマイクロカンチレバーのその他の部分の変位より大きくなるので、梃子の原理により薄肉部の変位が増幅され、マイクロカンチレバーの自由端の変位が大きくなる。すなわち、根元部分の上部電極の一部をスリット状または切り欠き状にして金属膜を除去することによってこの部分における屈曲に対する反力を低下させ、マイクロカンチレバーの屈曲変位を大きくすることができる。
【手続補正４】
【補正対象書類名】明細書
【補正対象項目名】００１１
【補正方法】変更
【補正の内容】
【００１１】
また、薄肉部を形成する手法としては、弾性体の厚みを薄くする方法がある。すなわち前記薄肉部において前記弾性体の厚みも薄くなっているマイクロカンチレバーを提案する。弾性体は圧電体に近い部分は圧電体の長さ方向の変位を屈曲に変える作用を有するが、圧電体から遠い部分は屈曲に対する反力が発生するので、根元部分の弾性体を薄くすることにより、この部分における屈曲に対する反力を低下させ、マイクロカンチレバーの屈曲変位を、さらに大きくすることができる。
【手続補正５】
【補正対象書類名】明細書
【補正対象項目名】００１２
【補正方法】削除
【補正の内容】
【手続補正書】
【提出日】平成22年11月4日(2010.11.4)
【手続補正１】
【補正対象書類名】特許請求の範囲
【補正対象項目名】全文
【補正方法】変更
【補正の内容】
【特許請求の範囲】
【請求項１】
内部にルーメンを有し、前記ルーメンの内部にガイドワイヤーが挿入された腸閉塞処置用カテーテルと、
前記腸閉塞処置用カテーテルを収容する容器と、
を含み、
前記容器から取り出された前記腸閉塞処置用カテーテルの前記ルーメンの内部に潤滑剤を注入して使用するカテーテル収納体であって、
前記ガイドワイヤーがカテーテル基端部から延出しており、前記ガイドワイヤーの延出部分が、保護部材により覆われていることを特徴とするカテーテル収納体。
【請求項２】
請求項１に記載のカテーテル収納体であって、前記腸閉塞処置用カテーテルが、所定の径で巻かれた状態で束ねられているカテーテル収納体。
【請求項３】
請求項２に記載のカテーテル収納体であって、
前記腸閉塞処置用カテーテルは、
目視およびＸ線を用いた観察により、カテーテル内部を視認できるように構成された視認部と、
前記視認部のカテーテル基端側に設けられたバルーンと、
をさらに備え、
前記ガイドワイヤーの先端部が、前記視認部に位置するカテーテル収納体。
【請求項４】
請求項３に記載のカテーテル収納体であって、
前記視認部の、カテーテル先端側に設けられ、前記カテーテルを体内に誘導する役割を果たすように構成された誘導部をさらに備えるカテーテル収納体。
【請求項５】
請求項４に記載のカテーテル収納体であって、
前記誘導部および前記バルーンが、前記腸閉塞処置用カテーテルの束ねられた部分と接触しないように配置されているカテーテル収納体。
【請求項６】
請求項１乃至５いずれかに記載のカテーテル収納体であって、
前記容器の内部に、平面視において円形形状を有する収容室が設けられ、
前記収容室に前記腸閉塞処置用カテーテルが収容されているカテーテル収納体。
【請求項７】
請求項２に記載のカテーテル収納体であって、
前記カテーテルの先端部と基端部とが、前記腸閉塞処置用カテーテルの束ねられた部分と接触しないように配置されているカテーテル収納体。
【請求項８】
請求項１乃至７いずれかに記載のカテーテル収納体であって、
前記腸閉塞処置用カテーテルが液体注入部をさらに備えるカテーテル収納体。
【請求項９】
請求項１乃至８いずれかに記載のカテーテル収納体であって、
前記腸閉塞処置用カテーテルにおいて、本体と、前記本体のカテーテル基端側に設けられたガイドワイヤー固定部と、前記本体のカテーテル先端側に設けられたコネクター接続部と、前記潤滑剤を前記ルーメンの内部に注入するための注入液ポートと、を備える分岐注液コネクターが、前記ガイドワイヤーが挿入されている前記ルーメンの末端に接続されている、カテーテル収納体。
【請求項１０】
請求項１乃至９いずれかに記載のカテーテル収納体であって、
前記ガイドワイヤーに潤滑性処理が施されているカテーテル収納体。
【請求項１１】
請求項１０に記載のカテーテル収納体であって、
前記ガイドワイヤーの外側面に潤滑剤層が設けられており、前記潤滑剤層が前記保護部材により保護されているカテーテル収納体。
【請求項１２】
請求項９に記載のカテーテル収納体であって、
前記本体に弾性体が内蔵され、前記ガイドワイヤー固定部は前記本体とネジ嵌合されており、前記ガイドワイヤー固定部が前記弾性体を圧縮することにより前記ガイドワイヤー固定部と前記ガイドワイヤーとが液密固定されるカテーテル収納体。
【請求項１３】
請求項１２に記載のカテーテル収納体であって、前記弾性体が軟質樹脂またはゴムからなるカテーテル収納体。
【手続補正２】
【補正対象書類名】明細書
【補正対象項目名】００１２
【補正方法】変更
【補正の内容】
【００１２】
本発明によれば、内部にルーメンを有し、前記ルーメンの内部にガイドワイヤーが挿入された腸閉塞処置用カテーテルと、前記腸閉塞処置用カテーテルを収容する容器と、を含み、前記容器から取り出された前記腸閉塞処置用カテーテルの前記ルーメンの内部に潤滑剤を注入して使用するカテーテル収納体であって、前記ガイドワイヤーがカテーテル基端部から延出しており、前記ガイドワイヤーの延出部分が、保護部材により覆われていることを特徴とするカテーテル収納体が提供される。
【手続補正３】
【補正対象書類名】明細書
【補正対象項目名】００１４
【補正方法】変更
【補正の内容】
【００１４】
この収容体において、腸閉塞処置用カテーテルが所定の径で巻かれた状態で束ねられており、このカテーテルの先端部と基端部とが、前記腸閉塞処置用カテーテルの束ねられた部分と接触しないように配置されている構成としてもよい。あるいは、カテーテルに設けられた誘導部およびバルーンが、前記腸閉塞処置用カテーテルの束ねられた部分と接触しないように配置されていてもよい。こうすることにより、カテーテルの先端側、特に誘導部およびバルーンの損傷を効果的に抑制することができる。
【手続補正４】
【補正対象書類名】明細書
【補正対象項目名】００１７
【補正方法】変更
【補正の内容】
【００１７】
また、本体と、前記本体のカテーテル基端側に設けられたガイドワイヤー固定部と、前記本体のカテーテル先端側に設けられたコネクター接続部と、注入液ポートと、を備える分岐注液コネクターが、ガイドワイヤーが挿入されている前記ルーメンの末端に予め接続されている構成としてもよい。
【手続補正５】
【補正対象書類名】明細書
【補正対象項目名】００１９
【補正方法】変更
【補正の内容】
【００１９】
ガイドワイヤーの外側面に潤滑剤層が設けられ、ガイドワイヤーがカテーテル基端部から延出しており、ガイドワイヤーの延出部分の潤滑剤層が保護部材により覆われている構成としてもよい。